(57)【要約】本発明は，複数の基地局と移動局とが通信を行う移動通信システムを提供する。送信電力が制御されたユーザデータ信号は，複数の基地局から選択された１つの基地局から移動局に送信される。ユーザデータ信号と同様の送信電力制御を受けた制御データ信号は，複数の基地局から移動局に送信される。移動局は，制御データ信号の品質を各基地局ごとに測定し，測定された各基地局の制御データ信号の品質に基づいて基地局を選択する。また，移動局は，選択された基地局の識別情報を複数の基地局に送信する。各基地局は，識別情報が自己を示す場合には，ユーザデータ信号および制御データ信号の送信電力を制御するとともに，これら両信号を送信し，識別情報が自己を示さない場合には，制御データ信号の送信電力を制御して該制御データ信号を送信し，ユーザデータ信号は送信しない。
2003037027.tif 000002
【特許請求の範囲】
【請求項１】
複数の基地局との間で無線チャネルが設定され，前記複数の基地局の中から選択された１つの基地局が，送信電力が制御されたユーザデータ信号を送信するとともに，前記選択された基地局を含む前記複数の基地局が，前記ユーザデータ信号と同様の送信電力制御を受けた制御データ信号を含む信号を送信する通信状態で，前記複数の基地局と通信を行う移動局において，
前記送信電力制御を受けた制御データ信号の品質を各基地局ごとに測定する測定部と，
前記測定部により測定された各基地局の制御データ信号の品質により，前記ユーザデータ信号を送信する基地局を選択する選択部と，
前記選択部により選択された基地局を識別するための識別情報を前記複数の基地局に送信する送信部と，
を備えていることを特徴とする移動局。
【請求項２】
請求の範囲第１項において，
あらかじめ設定された目標となる品質を有し，該目標となる品質と，前記測定部により測定された品質のうち，前記選択部により選択された基地局の品質とを比較し，後者が前者よりも良い品質の場合には，送信電力を下げることを指示する電力制御情報を生成し，後者が前者より良い品質の場合には，送信電力を上げることを指示する電力制御情報を生成する生成部を，
さらに備えていることを特徴とする移動局。
【請求項３】
請求の範囲第１項または第２項において，
前記測定部は，前記信号の品質を信号対干渉電力比により測定する，ことを特徴とする移動局。
【請求項４】
請求の範囲第１項または第２項において，
前記測定部は，前記信号の品質を受信電力により測定する，ことを特徴とする移動局。
【請求項５】
請求の範囲第１項において，
前記測定部により測定された品質のうち，前記選択部により選択された基地局の品質に基づいて，前記複数の基地局の送信電力をどのように制御するかを示す電力制御情報を生成する生成部をさらに備え，
前記送信部は，前記識別情報と，前記生成部により生成された電力制御情報とを，複数のタイムスロットを有するフレームの各タイムスロットに格納して，前記複数の基地局に送信する，
ことを特徴とする移動局。
【請求項６】
請求の範囲第１項から第５項のいずれか１項において，
前記複数の基地局は，該移動局とＷ−ＣＤＭＡにより通信を行い，
前記ユーザデータ信号は個別物理データチャネルの信号であり，前記測定部は，個別物理制御チャネルの信号の品質を測定する，
ことを特徴とする移動局。
【請求項７】
移動局との間で無線チャネルが設定され，送信電力が制御されたユーザデータ信号は，自己が前記移動局によって選択された場合にのみ前記移動局に送信するとともに，前記ユーザデータ信号と同様の送信電力制御を受けた制御データ信号を含む信号は，自己が選択されているかどうかに関わらず前記移動局に送信する基地局において，
前記移動局から送信される，前記移動局が前記送信電力制御を受けた前記制御データ信号の品質に基づいて選択した基地局を表す識別情報を受信する受信部と，
前記識別情報が自己を示すものである場合にのみ，前記ユーザデータ信号を前記移動局に送信する送信部と，
を備えていることを特徴とする基地局。
【請求項８】
請求の範囲第７項において，
前記受信部が，前記移動局が前記制御データ信号の品質に基づいて決定した，送信電力をどのように制御するかを示す電力制御情報をさらに受信し，
前記受信部により受信された前記電力制御情報に基づいて，前記ユーザデータ信号の送信電力，および，前記制御データ信号の送信電力を制御する電力制御部をさらに備えている，
ことを特徴とする基地局。
【請求項９】
請求の範囲第８項において，
前記電力制御部は，前記識別情報が自己を示すものである場合において，前記電力制御情報が電力を上げる指示であるときは電力を上げるように制御し，下げる指示であるときは下げるように制御し，前記識別情報が自己を示すものでない場合において，前記電力制御情報が電力を上げる指示であるときは電力を上げるように制御し，下げる指示であるときは現電力を維持するように制御する，
ことを特徴とする基地局。
【請求項１０】
請求の範囲第９項において，
前記識別情報が自己を示すものである場合における前記電力の上げ幅と，前記識別情報が自己を示すものでない場合における前記電力の上げ幅とが同じである，ことを特徴とする基地局。
【請求項１１】
請求の範囲第８項において，
前記電力制御部は，前記識別情報が自己を示すものである場合において，前記電力制御情報が電力を上げる指示であるときは電力を上げるように制御し，下げる指示であるときは下げるように制御し，前記識別情報が自己を示すものでない場合において，前記電力制御情報が電力を上げる指示であるときは，前記識別情報が自己を示すものである場合における上げ幅よりも小さな上げ幅で電力を上げるように制御し，下げる指示であるときは前記識別情報が自己を示すものである場合における下げ幅よりも小さな下げ幅で電力を下げるように制御する，
ことを特徴とする基地局。
【請求項１２】
請求の範囲第８項において，
前記電力制御部は，前記識別情報が自己を示すものである場合において，前記電力制御情報が電力を上げる指示であるときは電力を上げるように制御し，下げる指示であるときは下げるように制御し，前記識別情報が自己を示すものでない場合において，前記電力制御情報が電力を上げる指示であるとき，および，下げる指示であるときは現電力を維持するように制御する，
ことを特徴とする基地局。
【請求項１３】
複数の基地局と移動局とを有し，該複数の基地局と該移動局との間に無線チャネルが設定され，送信電力が制御されたユーザデータ信号は，前記複数の基地局の中から選択された１つの基地局から前記移動局に送信されるとともに，前記ユーザデータ信号と同様の送信電力制御を受けた制御データ信号は，前記選択された基地局を含む前記複数の基地局から前記移動局に送信される移動通信システムにおいて，
前記移動局は，
前記制御データ信号の品質を各基地局ごとに測定する測定部と，
前記測定部により測定された各基地局の制御データ信号の品質より，前記ユーザデータ信号を送信する基地局を選択する選択部と，
前記選択部により選択された基地局を識別するための識別情報を前記複数の基地局に送信する送信部と，
を備え，
前記複数の基地局のそれぞれは，前記移動局から送信された前記識別情報が自己を示すものである場合にのみ，前記ユーザデータ信号を前記移動局に送信する送信部を備えている，
ことを特徴とする移動通信システム。
【請求項１４】
複数の基地局と移動局との間で無線チャネルが設定され，送信電力が制御されたユーザデータ信号は，前記複数の基地局の中から選択された１つの基地局から前記移動局に送信されるとともに，前記ユーザデータ信号と同様の送信電力制御を受けた制御データ信号は，前記選択された基地局を含む前記複数の基地局から前記移動局に送信される通信状態において前記複数の基地局のそれぞれにより行われる該基地局の通信方法であって，
前記移動局から送信される，前記移動局が前記送信電力制御を受けた制御データ信号の品質に基づいて選択した基地局を表す識別情報を受信し，
前記識別情報が自己を示すものである場合には，前記ユーザデータ信号を送信電力制御して送信するとともに，前記制御データ信号を送信電力制御して送信し，前記識別情報が自己を示すものでない場合には，前記制御データ信号を送信電力制御して送信し，前記ユーザデータ信号は送信しない，
通信方法。
【請求項１５】
複数の基地局と移動局との間で無線チャネルが設定され，送信電力が制御されたユーザデータ信号は，前記複数の基地局の中から選択された１つの基地局から前記移動局に送信されるとともに，前記ユーザデータ信号と同様の送信電力制御を受けた制御データ信号は，前記選択された基地局を含む前記複数の基地局から前記移動局に送信される通信状態において実行される前記複数の基地局の通信方法であって，
前記移動局は，
前記制御データ信号の品質を各基地局ごとに測定し，
前記測定された各基地局の制御データ信号の品質より，前記ユーザデータ信号を送信する基地局を選択し，
前記選択された基地局を識別するための識別情報を前記複数の基地局に送信し，
前記複数の基地局のそれぞれは，
前記移動局から送信された前記識別情報が自己を示すものである場合には，前記移動局に送信する前記ユーザデータ信号の送信電力を前記電力制御情報に基づいて制御するとともに，前記制御データ信号の送信電力を制御して両信号を送信し，前記識別情報が自己を示すものでない場合には，前記制御データ信号の送信電力を制御して該制御データ信号を送信し，前記ユーザデータ信号は送信しない，
通信方法。
【請求項１６】
複数の基地局との間で通信を行う移動局であって，
前記複数の基地局から送信される，送信電力制御を受けた自局宛ての制御データ信号の品質を各基地局ごとに測定する測定部と，
前記測定部により測定された各基地局の自局宛ての制御データ信号の品質より，自局宛てのユーザデータ信号を送信する基地局を選択する選択部と，
前記選択部により選択された基地局を識別するための識別情報を前記複数の基地局に送信する送信部と，
を備えていることを特徴とする移動局。
【請求項１７】
移動局との間で通信を行う基地局であって，
前記移動局から送信される，送信電力制御を受けた制御データ信号の品質に基づいて選択した基地局を表す識別情報を受信する受信部と，
前記識別情報が自己を示すものである場合には，前記移動局宛てのユーザデータ信号と前記移動局宛ての制御データ信号を送信電力制御して送信するとともに，前記識別情報が自己を示すものではない場合には，前記移動局宛ての制御データ信号を送信電力制御して送信し，前記移動局宛てのユーザデータ信号は送信しない送信部と，
を備えていることを特徴とする基地局。
【請求項１８】
複数の基地局と移動局との間で通信を行う移動通信システムであって，
前記移動局は，
前記複数の基地局から送信される，送信電力制御を受けた自局宛ての制御データ信号の品質を各基地局ごとに測定し，
前記測定された各基地局の自局宛ての制御データ信号の品質より，自局宛てのユーザデータ信号を送信する基地局を選択し，
前記選択された基地局を識別するための識別情報を前記複数の基地局に送信し，
前記基地局は，
前記移動局から送信される，前記識別情報が自己を示すものである場合には，前記移動局宛てのユーザデータ信号と前記移動局宛ての制御データ信号を送信電力制御して送信するとともに，前記識別情報が自己を示すものではない場合には，前記移動局宛ての制御データ信号を送信電力制御して送信し，前記移動局宛てのユーザデータ信号は送信しない，
ことを特徴とする移動通信システム。
【発明の詳細な説明】
技術分野
本発明は，無線通信を行う移動局，基地局，移動局および基地局を有する移動通信システム，ならびに移動通信システムの通信方法に関する。
背景技術
いわゆる第３世代携帯電話（ＩＭＴ２０００）の通信方式の１つとして，Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式が採用されている。このＷ−ＣＤＭＡ方式では，通信品質（無線伝送品質）を向上させるために，ソフトハンドオーバ（サイトダイバーシチ），サイト選択ダイバーシチ（ＳＳＤＴ：Ｓｉｔｅ  Ｓｅｌｅｃｔｉｏｎ  Ｄｉｖｅｒｓｉｔｙ  Ｔｒａｎｓｍｉｔ  Ｐｏｗｅｒ  Ｃｏｎｔｒｏｌ），閉ループ型送信電力制御等の技術が用いられる。
ソフトハンドオーバは，移動局が同時に複数の基地局との間で無線リンクを接続し，複数の基地局からの信号をＲａｋｅ合成して受信するものである。ソフトハンドオーバ時には，ソフトハンドオーバを行っている複数の基地局のすべてが，個別物理チャネル（ＤＰＣＨ：Ｄｅｄｉｃａｔｅｄ  Ｐｈｙｓｉｃａｌ  Ｃｈａｎｎｅｌ）の信号を送信し，移動局は，これら複数の基地局からのＤＰＣＨの信号を受信する。
ＳＳＤＴは，ソフトハンドオーバ時に行われる電力制御方法であり，ソフトハンドオーバ時に，複数の基地局から同一のＤＰＣＨの信号が移動局に送信されることにより生じる，下りリンク（すなわち基地局から移動局に向かうリンク）の干渉増大の問題を解決するものである。移動局は，ソフトハンドオーバを行っている基地局の１つをプライマリセル（ｐｒｉｍａｒｙ  ｃｅｌｌ）として選択し，他の基地局をノンプライマリセルとする。そして，プライマリセルのみが，ＤＰＣＨのうち，個別物理データチャネル（ＤＰＤＣＨ：Ｄｅｄｉｃａｔｅｄ  Ｐｈｙｓｉｃａｌ  Ｄａｔａ  Ｃｈａｎｎｅｌ）の信号を送信し，ノンプライマリセルはＤＰＤＣＨの信号を送信しない。ＤＰＣＨのうち，個別物理制御チャネル（ＤＰＣＣＨ：Ｄｅｄｉｃａｔｅｄ  Ｐｈｙｓｉｃａｌ  Ｃｏｎｔｒｏｌ  Ｃｈａｎｎｅｌ）の信号は，ソフトハンドオーバを行っているすべての基地局から送信される。
ＳＳＤＴでは，各基地局が常に一定の電力で送信している共通パイロットチャネル（ＣＰＩＣＨ：Ｃｏｍｍｏｎ  Ｐｉｌｏｔ  Ｃｈａｎｎｅｌ）の受信電力（ＲＳＣＰ：Ｒｅｃｅｉｖｅｄ  Ｓｉｇｎａｌ  Ｃｏｄｅ  Ｐｏｗｅｒ）を移動局が測定し，移動局は，その測定値が所定のしきい値より高い基地局をソフトハンドオーバ候補として選択する。そして，移動局は，ソフトハンドオーバ候補の中から，ＲＳＣＰが最大の基地局をプライマリセルとして選択する。このプライマリセルを高速に変更（更新）していくことにより，移動局は，受信品質のより良いＤＰＤＣＨを受信することが可能となる。
閉ループ型送信電力制御は，移動局および基地局がそれぞれ，受信信号（すなわち送信側の送信信号）の品質測定を行い，測定結果により，受信信号が所望の品質を満たすように，送信電力制御（ＴＰＣ：Ｔｒａｎｓｍｉｔ  Ｐｏｗｅｒ  Ｃｏｎｔｒｏｌ）コマンドを送信側に伝送し，送信側がＴＰＣコマンドに基づいて自己の送信電力を制御するものである。この制御は，遠近問題を解決し，フェージング変動の影響を低減するために行われる。受信信号の品質測定には，信号対干渉電力比（ＳＩＲ：Ｓｉｇｎａｌ  ｔｏ  Ｉｎｔｅｒｆｅｒｅｎｃｅ  Ｒａｔｉｏ）が使用される。
ここで，従来のＳＳＤＴ時における下りリンクの送信電力制御，特にインナループ制御（内部ループ制御）では，移動局が，プライマリセルからのＤＰＣＣＨのＳＩＲを測定して，測定値を目標ＳＩＲ値と比較し，比較結果に基づいてＴＰＣコマンドを生成する。そして，移動局は，このＴＰＣコマンドを上りリンク（すなわち移動局から基地局に向かうリンク）を介してプライマリセルおよびノンプライマリセルの双方に送信する。プライマリセルは，ＴＰＣコマンドに従って，下りリンクのＤＰＤＣＨおよびＤＰＣＣＨの送信電力を制御する。一方，ノンプライマリセルは，ＴＰＣコマンドに従って，下りリンクＤＰＣＣＨの送信電力を制御するが，ＤＰＤＣＨの送信は行わない。
図６は，このＳＳＤＴ時における下りリンクの送信電力制御の様子を示したものである。移動局１００の基地局選択部１０２は，ｎ個（ｎは２以上の整数）の基地局２００１〜２００ｎからのＣＰＩＣＨのＲＳＣＰを測定し，最大のＲＳＣＰを有する基地局をプライマリセルとして選択する。プライマリセルの選択結果は，プライマリセルを表す，基地局の識別情報により，上りリンクフィードバック情報（ＦＢＩ：Ｆｅｅｄｂａｃｋ  Ｉｎｆｏｒｍａｔｉｏｎ）を使用して基地局２００１〜２００ｎに送信される。これにより，基地局２００１〜２００ｎは，自己がプライマリセルかノンプライマリセルかを知る。
移動局１００のＳＩＲ測定部１０３は，基地局２００１〜２００ｎからのＤＰＣＣＨのうち，基地局選択部１０２によりプライマリセルとして選択された基地局からのＤＰＣＣＨのＳＩＲを測定し，測定結果をＴＰＣビット生成部１０４に与える。ＴＰＣビット生成部１０４は，あらかじめ設定された目標ＳＩＲと測定結果のＳＩＲとを比較し，比較結果に基づいてＴＰＣコマンドを生成する。ＴＰＣコマンドは基地局２００１〜２００ｎに送信される。
基地局２００１〜２００ｎでは，ＦＢＩビット抽出部２０４が，プライマリセルとして選択された基地局の識別情報を受信データから抽出する。スイッチ（ＳＷ）部２０３は，この識別情報に基づいて，自己の基地局がプライマリセルとして選択されているかどうかを判断し，自己の基地局がプライマリセルとして選択されている場合には，ＤＰＤＣＨのデータを電力制御部２０２に出力し，自己の基地局がプライマリセルとして選択されていない場合には，ＤＰＤＣＨのデータを電力制御部２０２に出力しない。
一方，ＴＰＣビット抽出部２０５は，ＴＰＣコマンドを受信データから抽出し，電力制御部２０２に与える。電力制御部２０２は，ＤＰＣＣＨの送信電力，および，ＳＷ部２０３からＤＰＤＣＨのデータが与えられている場合にはＤＰＤＣＨの送信電力を，ＴＰＣコマンドに従って制御する。電力制御されたこれらチャネルのデータは，移動局１００に送信される。
電力制御部２０２による電力制御は，自己の基地局がプライマリセルである場合もノンプライマリセルである場合も，同じＴＰＣコマンドに従って，同じ制御方法（すなわち同じ増減幅による同じ電力増減）により行われる。図７は，この従来の電力制御の方法をテーブルにより示したものである。プライマリセルおよびノンプライマリセルとも，ＴＰＣコマンドが“１”の場合には送信電力を１ｄＢ上げ，ＴＰＣコマンドが“０”の場合には送信電力を１ｄＢ下げる。
このように，従来のＳＳＤＴでは，プライマリセルの選択と送信電力制御とが別個に行われている。すなわち，プライマリセルの選択はＣＰＩＣＨのＲＳＣＰを基準としているのに対し，送信電力制御はＤＰＣＣＨのＳＩＲを基準に決定されたＴＰＣコマンドにより行われている。また，ＴＰＣコマンドは各タイムスロットにより送信され，したがって，送信電力制御はタイムスロットの時間間隔Ｔ（たとえばＴ＝０．６６７ｍｓ）で更新されるのに対し，プライマリセルの選択情報は３つ以上のタイムスロットを使用して送信され，したがって，プライマリセルは時間間隔Ｔの３倍以上の時間間隔で更新される。
しかし，このように，プライマリセルの選択と送信電力制御とが別個に行われる場合に，必ずしも最適なプライマリセルの選択が行われなくなるという問題がある。
すなわち，通信品質のより良いＤＰＤＣＨの信号を送信する基地局がプライマリセルとして選択されるべきであるが，従来の方法では，通信品質を左右する送信電力の制御の基準とプライマリセルの選択基準とが異なるので，通信品質のより良い基地局がプライマリセルとして選択されないことがある。
また，前述したように，プライマリセルの更新周期が，送信電力制御の更新周期よりも長いため，プライマリセルの更新が送信電力の変化に追従せず，送信電力のより大きな基地局がプライマリセルとして選択されていない状態が起こり得る。
さらに，プライマリセルの更新周期が長いので，プライマリセルの更新がフェージングの変動に追従できず，この点においても，通信品質のより良い基地局からＤＰＤＣＨの信号を受信できないおそれがある。
また，従来では，図７で説明したように，プライマリセルとノンプライマリセルとが，共通のＴＰＣコマンドに従い同一の送信電力制御を行っている。したがって，プライマリセルとノンプライマリセルとの間で切り換えが起こりにくくなるおそれがあり，最適な基地局をプライマリセルとして高速に切り換えることによる高速セル選択の効果が減少してしまう。
さらに，ノンプライマリセルは，プライマリセルに比べて通信品質が一般に低いため，上りリンクにおいてもＴＰＣコマンドの伝送誤り率が高くなることが予想される。この場合，基地局が誤ったＴＰＣコマンドにより送信電力制御を行い，その結果，ソフトハンドオーバ候補の複数の基地局間の送信電力差が伝搬損失の差以上に大きくなり，下りリンクにおける干渉が増大するという問題も生じる。
これに対して，基地局ごとにＲａｋｅ合成後のＳＩＲを測定し，かつ，基地局ごとにＴＰＣコマンドを生成し，各基地局が個別の送信電力制御を行うセルサイト独立送信電力制御（ＳＩＤＴＰＣ：Ｓｉｔｅ  Ｉｎｄｅｐｅｎｄｅｎｔ  Ｄｉｖｅｒｓｉｔｙ  Ｔｒａｎｓｍｉｔ  Ｐｏｗｅｒ  Ｃｏｎｔｒｏｌ）方法が，電子情報通信学会（ＩＥＩＣＥ：Ｔｈｅ  Ｉｎｓｔｉｔｕｔｅ  ｏｆ  Ｅｌｅｃｔｒｏｎｉｃｓ，Ｉｎｆｏｒｍａｔｉｏｎ  ａｎｄ  Ｃｏｍｍｕｎｉｃａｔｉｏｎ  Ｅｎｇｉｎｅｅｒｓ）の信学技報（Ｔｅｃｈｎｉｃａｌ  Ｒｅｐｏｒｔ  ｏｆ  ＩＥＩＣＥ）のＲＣＳ２０００−１６４に提案されている。
しかし，この方法では，従来の方法に比較して上りリンクのＤＰＣＣＨで伝送するＴＰＣコマンドのビット数が，基地局の個数分必要となる。あるいは，ＴＰＣコマンドのビット数を従来と同じにする場合には，送信電力制御の周期が長くなり，フェージング変動に対する追従性が劣化するおそれがある。
発明の開示
本発明は，このような背景に鑑みなされたものであり，その第１の目的は，送信電力が制御されたユーザデータ信号が，複数の基地局のうち，移動局により選択された１つの基地局から送信される通信状態において，より良い通信品質のユーザデータ信号を送信する基地局を選択可能にすることにある。
また，本発明の第２の目的は，該選択された１つの基地局の更新（交替）を高速に行えるようにすることにある。
前記第１の目的を達成するために，本発明の第１の側面による移動局は，複数の基地局との間で無線チャネルが設定され，前記複数の基地局の中から選択された１つの基地局が，送信電力が制御されたユーザデータ信号を送信するとともに，前記選択された基地局を含む前記複数の基地局が，前記ユーザデータ信号と同様の送信電力制御を受けた制御データ信号を含む信号を送信する通信状態で，前記複数の基地局と通信を行う移動局において，前記送信電力制御を受けた制御データ信号の品質を各基地局ごとに測定する測定部と，前記測定部により測定された各基地局の制御データ信号の品質により，前記ユーザデータ信号を送信する基地局を選択する選択部と，前記選択部により選択された基地局を識別するための識別情報を前記複数の基地局に送信する送信部と，を備えていることを特徴とする。
前記品質の測定には，一実施の形態においては信号対干渉電力比が使用され，他の実施の形態においては受信電力が使用される。
本発明の第１の側面によると，送信電力が制御されたユーザデータ信号を送信する基地局が，このユーザデータ信号と同様の送信電力制御を受けた制御データ信号の品質に基づいて行われる。したがって，ユーザデータ信号についても，最も品質の良いユーザデータ信号を送信可能な基地局の選択が可能となり，移動局は該品質の良いユーザデータを受信することができる。
好ましくは，前記移動局は，あらかじめ設定された目標となる品質を有し，該目標となる品質と，前記測定部により測定された品質のうち，前記選択部により選択された基地局の品質とを比較し，後者が前者よりも良い品質の場合には，送信電力を下げることを指示する電力制御情報を生成し，後者が前者より良い品質の場合には，送信電力を上げることを指示する電力制御情報を生成する生成部を，さらに備えている。
これにより，ユーザデータ信号を送信する基地局の選択と電力制御情報の生成とが，同じ制御データ信号の品質に基づいて行われ，基地局の選択基準と電力制御情報の決定基準とが共通化（統一）される。
また，好ましくは，前記移動局は，前記測定部により測定された品質のうち，前記選択部により選択された基地局の品質に基づいて，前記複数の基地局の送信電力をどのように制御するかを示す電力制御情報を生成する生成部をさらに備え，前記送信部は，前記識別情報と，前記生成部により生成された電力制御情報とを，複数のタイムスロットを有するフレームの各タイムスロットに格納して，前記複数の基地局に送信する。
これにより，ユーザデータ信号を送信する基地局の識別情報が各タイムスロットにより送信される。したがって，各タイムスロットによって，ユーザデータ信号を送信する基地局の選択が可能となり，従来よりも高速の基地局選択（基地局の更新ないし交替）が可能となり，前記第２の目的が達成される。その結果，従来よりも迅速に，基地局の選択をフェージング変動に追従させることができる。
本発明の第２の側面による基地局は，移動局との間で無線チャネルが設定され，送信電力が制御されたユーザデータ信号は，自己が前記移動局によって選択された場合にのみ前記移動局に送信するとともに，前記ユーザデータ信号と同様の送信電力制御を受けた制御データ信号を含む信号は，自己が選択されているかどうかに関わらず前記移動局に送信する基地局において，前記移動局から送信される，前記移動局が前記送信電力制御を受けた前記制御データ信号の品質に基づいて選択した基地局を表す識別情報を受信する受信部と，前記識別情報が自己を示すものである場合にのみ，前記ユーザデータ信号を前記移動局に送信する送信部と，を備えていることを特徴とする。
本発明の第２の側面による通信方法は，複数の基地局と移動局との間で無線チャネルが設定され，送信電力が制御されたユーザデータ信号は，前記複数の基地局の中から選択された１つの基地局から前記移動局に送信されるとともに，前記ユーザデータ信号と同様の送信電力制御を受けた制御データ信号は，前記選択された基地局を含む前記複数の基地局から前記移動局に送信される通信状態において前記複数の基地局のそれぞれにより行われる該基地局の通信方法であって，前記移動局から送信される，前記移動局が前記送信電力制御を受けた制御データ信号の品質に基づいて選択した基地局を表す識別情報を受信し，前記識別情報が自己を示すものである場合には，前記ユーザデータ信号を送信電力制御して送信するとともに，前記制御データ信号を送信電力制御して送信し，前記識別情報が自己を示すものでない場合には，前記制御データ信号を送信電力制御して送信し，前記ユーザデータ信号は送信しないものである。
本発明の第２の側面によると，ユーザデータ信号と同様の電力制御を受けた制御データ信号の品質に基づいて，ユーザデータ信号を送信する基地局が移動局によって選択される。これにより，ユーザデータ信号についても，最も品質の良い信号を送信可能な基地局が選択可能となり，移動局は該品質の良いユーザデータを受信することができる。
好ましくは，前記基地局のそれぞれは，前記受信部が，前記移動局が前記制御データ信号の品質に基づいて決定した，送信電力をどのように制御するかを示す電力制御情報をさらに受信し，前記受信部により受信された前記電力制御情報に基づいて，前記ユーザデータ信号の送信電力，および，前記制御データ信号の送信電力を制御する電力制御部をさらに備えている。
これにより，前記第１の側面と同様に，ユーザデータ信号を送信する基地局の選択と，基地局の電力制御を行うための電力制御情報の生成とが，同じ制御データ信号の品質に基づいて行われ，判断基準が共通化（統一）される。
また，好ましくは，ユーザデータ信号を送信する基地局の識別情報が，複数のタイミングの有するフレームの各タイムスロットにより受信される。これにより，各タイムスロットによって，ユーザデータ信号を送信する基地局の選択が可能となり，従来よりも高速の基地局選択（基地局の更新）が可能となる。その結果，基地局の更新を，フェージングの変動に追従させることが従来よりも容易となる。
本発明の第２の側面において，好ましい第１の実施の形態によると，前記電力制御部は，前記識別情報が自己を示すものである場合において，前記電力制御情報が電力を上げる指示であるときは電力を上げるように制御し，下げる指示であるときは下げるように制御し，前記識別情報が自己を示すものでない場合において，前記電力制御情報が電力を上げる指示であるときは電力を上げるように制御し，下げる指示であるときは現電力を維持するように制御する，ことを特徴とする。
好ましい第２の実施の形態によると，前記電力制御部は，前記識別情報が自己を示すものである場合において，前記電力制御情報が電力を上げる指示であるときは電力を上げるように制御し，下げる指示であるときは下げるように制御し，前記識別情報が自己を示すものでない場合において，前記電力制御情報が電力を上げる指示であるときは，前記識別情報が自己を示すものである場合における上げ幅よりも小さな上げ幅で電力を上げるように制御し，下げる指示であるときは前記識別情報が自己を示すものである場合における下げ幅よりも小さな下げ幅で電力を下げるように制御する，ことを特徴とする。
好ましい第３の実施の形態によると，前記電力制御部は，前記識別情報が自己を示すものである場合において，前記電力制御情報が電力を上げる指示であるときは電力を上げるように制御し，下げる指示であるときは下げるように制御し，前記識別情報が自己を示すものでない場合において，前記電力制御情報が電力を上げる指示であるとき，および，下げる指示であるときは現電力を維持するように制御する，ことを特徴とする。
このように，これらの好ましい実施の形態によると，移動局により選択された基地局と選択されない基地局とが異なる電力制御を行うように設定される。したがって，移動局は，基地局ごとに個別の電力制御情報を生成して送信する必要がなく，タイムスロット中の電力制御情報のフィールドを小さくすることができる。
また，電力制御情報に基づいて送信電力制御が，移動局により選択された基地局と選択されない基地局とで異なっている。したがって，選択されなかった基地局が，送信電力制御の後，選択された基地局となる確率が高くなり，基地局の選択の更新が促進される。さらに，上りリンクの伝送誤りにより電力制御情報が誤った場合であっても，選択された基地局と選択されない基地局との間の送信電力差が伝送損失の差以上になる恐れを小さくすることができ，その結果，下りリンクにおける干渉の増大を防止できる。
本発明の第３の側面による移動通信システムは，複数の基地局と移動局とを有し，該複数の基地局と該移動局との間に無線チャネルが設定され，送信電力が制御されたユーザデータ信号は，前記複数の基地局の中から選択された１つの基地局から前記移動局に送信されるとともに，前記ユーザデータ信号と同様の送信電力制御を受けた制御データ信号は，前記選択された基地局を含む前記複数の基地局から前記移動局に送信される移動通信システムにおいて，前記移動局は，前記制御データ信号の品質を各基地局ごとに測定する測定部と，前記測定部により測定された各基地局の制御データ信号の品質より，前記ユーザデータ信号を送信する基地局を選択する選択部と，前記選択部により選択された基地局を識別するための識別情報を前記複数の基地局に送信する送信部と，を備え，前記複数の基地局のそれぞれは，前記移動局から送信された前記識別情報が自己を示すものである場合にのみ，前記ユーザデータ信号を前記移動局に送信する送信部を備えている，ことを特徴とする。
本発明の第３の側面による通信方法は，複数の基地局と移動局との間で無線チャネルが設定され，送信電力が制御されたユーザデータ信号は，前記複数の基地局の中から選択された１つの基地局から前記移動局に送信されるとともに，前記ユーザデータ信号と同様の送信電力制御を受けた制御データ信号は，前記選択された基地局を含む前記複数の基地局から前記移動局に送信される通信状態において実行される前記複数の基地局の通信方法であって，前記移動局は，前記制御データ信号の品質を各基地局ごとに測定し，前記測定された各基地局の制御データ信号の品質より，前記ユーザデータ信号を送信する基地局を選択し，前記選択された基地局を識別するための識別情報を前記複数の基地局に送信し，前記複数の基地局のそれぞれは，前記移動局から送信された前記識別情報が自己を示すものである場合には，前記移動局に送信する前記ユーザデータ信号の送信電力を前記電力制御情報に基づいて制御するとともに，前記制御データ信号の送信電力を制御して両信号を送信し，前記識別情報が自己を示すものでない場合には，前記制御データ信号の送信電力を制御して該制御データ信号を送信し，前記ユーザデータ信号は送信しないものである。
本発明の第３の側面によっても，前記第１の側面および第２の側面と同様の作用効果を得ることができる。
本発明の他の側面による移動局は，複数の基地局との間で通信を行う移動局であって，前記複数の基地局から送信される，送信電力制御を受けた自局宛ての制御データ信号の品質を各基地局ごとに測定する測定部と，前記測定部により測定された各基地局の自局宛ての制御データ信号の品質より，自局宛てのユーザデータ信号を送信する基地局を選択する選択部と，前記選択部により選択された基地局を識別するための識別情報を前記複数の基地局に送信する送信部と，を備えていることを特徴とする。
また，本発明の他の側面による基地局は，移動局との間で通信を行う基地局であって，前記移動局から送信される，送信電力制御を受けた制御データ信号の品質に基づいて選択した基地局を表す識別情報を受信する受信部と，前記識別情報が自己を示すものである場合には，前記移動局宛てのユーザデータ信号と前記移動局宛ての制御データ信号を送信電力制御して送信するとともに，前記識別情報が自己を示すものではない場合には，前記移動局宛ての制御データ信号を送信電力制御して送信し，前記移動局宛てのユーザデータ信号は送信しない送信部と，を備えていることを特徴とする。
さらに，本発明の他の側面による移動通信システムは，複数の基地局と移動局との間で通信を行う移動通信システムであって，前記移動局は，前記複数の基地局から送信される，送信電力制御を受けた自局宛ての制御データ信号の品質を各基地局ごとに測定し，前記測定された各基地局の自局宛ての制御データ信号の品質より，自局宛てのユーザデータ信号を送信する基地局を選択し，前記選択された基地局を識別するための識別情報を前記複数の基地局に送信し，前記基地局は，前記移動局から送信される，前記識別情報が自己を示すものである場合には，前記移動局宛てのユーザデータ信号と前記移動局宛ての制御データ信号を送信電力制御して送信するとともに，前記識別情報が自己を示すものではない場合には，前記移動局宛ての制御データ信号を送信電力制御して送信し，前記移動局宛てのユーザデータ信号は送信しない，ことを特徴とする。
発明を実施するための最良の形態
以下に本発明の実施の形態について説明するが，これは一例であって，本発明の技術的範囲を限定するものではない。
図１は，本発明の実施の形態による移動通信システムの一部を示すブロック図である。この移動通信システムは，一例として，いわゆる第３世代携帯電話（ＩＭＴ２０００）の通信方式の１つであるＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式を採用したシステムである。この移動通信システムは，移動局１，ｎ個（ｎは２以上の整数）の基地局２１〜２ｎ，および無線ネットワーク制御装置（基地局制御装置）３を備えている。
移動局１は，たとえば携帯電話，自動車電話，携帯情報端末（ＰＤＡ：Ｐｅｒｓｏｎａｌ  Ｄａｔａ  Ａｓｓｉｓｔａｎｃｅ）等であり，基地局２１〜２ｎのすべてまたは一部と，符号分割多重接続（ＣＤＭＡ）による無線通信を行う。この移動局１は，受信部１１，ｍ個（ｍは２以上の整数）のＳＩＲ測定部１２１〜１２ｍ，基地局選択部１３，スイッチ部（ＳＷ部）１４，ＴＰＣビット生成部１５，送信部１６，ならびにアンテナ１７および１８を備えている。
アンテナ１７は，基地局２１〜２ｎ（以下，各基地局２１〜２ｎを特に区別する必要がある場合を除き「基地局２」と総称する。）から２ＧＨｚ帯の電波によって送信される下り方向の信号（データ）を受信し，受信したデータを受信部１１に与える。アンテナ１８は，送信部１６から与えられる上り方向の信号（データ）を２ＧＨｚ帯の電波により基地局２に送信する。これらのアンテナ１７および１８は，送信用および受信用を兼用した１つのアンテナにより構成されてもよい。
下り方向（下りリンク）の信号用の物理チャネルには，個別物理チャネル（ＤＰＣＨ：Ｄｅｄｉｃａｔｅｄ  Ｐｈｙｓｉｃａｌ  Ｃｈａｎｎｅｌ），共通パイロットチャネル（ＣＰＩＣＨ：Ｃｏｍｍｏｎ  Ｐｉｌｏｔ  Ｃｈａｎｎｅｌ）等がある。上り方向（上りリンク）の信号用の物理チャネルには，個別物理チャネル（ＤＰＣＨ），物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）等がある。
各チャネルには，複数のタイムスロットを有するフレーム（無線フレーム）が形成され，このタイムスロットによって，通信データが運ばれる。各フレームは，たとえば１０ｍｓの長さを有し，１５個のタイムスロットを有する。
上りリンクのＤＰＣＨおよび下りリンクのＤＰＣＨは，ともに，各移動局に対して個別に割り当てられるチャネルであり，個別物理データチャネル（ＤＰＤＣＨ：Ｄｅｄｉｃａｔｅｄ  Ｐｈｙｓｉｃａｌ  Ｄａｔａ  Ｃｈａｎｎｅｌ）および個別物理制御チャネル（ＤＰＣＣＨ：Ｄｅｄｉｃａｔｅｄ  Ｐｈｙｓｉｃａｌ  Ｃｏｎｔｒｏｌ  Ｃｈａｎｎｅｌ）から構成される。
ＤＰＤＣＨは，ＤＰＣＨを使用する移動局１に対して１つ以上割り当てられ，移動局１を使用するユーザのユーザデータ（すなわち音声データ，文字データ，画像データ等）を運ぶために使用される。ＤＰＣＣＨは，ＤＰＣＨを使用する移動局１に対して１つ割り当てられ，ＤＰＣＨの物理レイヤの制御データを運ぶために使用される。ＤＰＤＣＨおよびＤＰＣＣＨは，下りリンクでは，１スロット内に時間多重される一方，上りリンクでは，フレームごとにＩ／Ｑ多重される。
サイト選択ダイバーシチ（ＳＳＤＴ：Ｓｉｔｅ  Ｓｅｌｅｃｔｉｏｎ  Ｄｉｖｅｒｓｉｔｙ  Ｔｒａｎｓｍｉｔ  Ｐｏｗｅｒ  Ｃｏｎｔｒｏｌ）時において，ＤＰＤＣＨは，プライマリセル（ｐｒｉｍａｒｙ  ｃｅｌｌ）として選択された基地局２（以下「プライマリセル２」という。）と移動局１との間のみに設定され，ノンプリマリセル（ｎｏｎ−ｐｒｉｍａｒｙ  ｃｅｌｌ）の基地局２（以下「ノンプライマリセル２」という。）と移動局１との間には設定されない。
図２Ａは，上りリンクのＤＰＣＨ（ＤＰＤＣＨおよびＤＰＣＣＨ）のフレーム構成を示している。無線フレームは，前述したように複数（１５個）のタイムスロット（ＴＳ）を有する。各タイムスロットには，Ｉ／Ｑ多重されたＤＰＤＣＨおよびＤＰＣＣＨのデータが含まれている。
ＤＰＤＣＨには，前述したように，ユーザデータが含まれる。ＤＰＣＣＨには，同期検波でのチャネル推定に用いられる既知のパターンのパイロットビット，ＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ），基地局２の送信電力制御（ＴＰＣ：Ｔｒａｎｓｍｉｔｔｅｒ  Ｐｏｗｅｒ  Ｃｏｎｔｒｏｌ）ビット（またはＴＰＣコマンド），およびフィードバック情報（ＦＢＩ：Ｆｅｅｄｂａｃｋ  Ｉｎｆｏｒｍａｔｉｏｎ）が含まれる。
ＴＰＣビットは１ビットを有する。このＴＰＣビットには，基地局２の送信電力を上げる場合には“１”が設定され，下げる場合には“０”が設定される。
また，本実施の形態では，高速セル選択（ＦＣＳ：Ｆａｓｔ  Ｃｅｌｌ  Ｓｅｌｅｃｔｉｏｎ）ビット（またはＦＣＳコマンド）が上りリンクのＤＰＣＣＨに含まれる。このＦＣＳビットは，図２ＡのＦＢＩフィールドに含まれてもよいし，あるいは，図２Ｂに示すように，ＦＢＩフィールドとは異なるフィールド（ＦＣＳフィールド）がタイムスロット内に設けられる場合（たとえば３ＧＰＰ（３ｒｄ  Ｇｅｎｅｒａｔｉｏｎ  Ｐａｒｔｎｅｒｓｈｉｐ  Ｐｒｏｊｅｃｔｓ）を発展させた仕様の場合）には，該ＦＣＳフィールドに置かれてもよい。
ＦＣＳビットは，ＳＳＤＴ時に選択されるプライマリセル２を示す識別情報である。この識別情報としては，たとえば，ＳＳＤＴ時に各基地局２に割り当てられるテンポラリセルＩＤが使用される。すなわち，ＦＣＳビットが表すテンポラリセルＩＤを有する基地局はプライマリセルであり，それ以外の基地局はノンプライマリセルである。
図３は，下りリンクのＤＰＣＨのフレーム構成を示している。無線フレームは，上りリンクのＤＰＣＨと同様に，複数（１５個）のタイムスロット（ＴＳ）を有する。
下りリンクのＤＰＣＨの各タイムスロットでは，前述したように，ＤＰＤＣＨおよびＤＰＣＣＨが時間多重されている。ＤＰＣＣＨには，移動局１のＴＰＣビット，ＴＦＣＩ，およびパイロットビットが含まれる。
受信部１１は，アンテナ１７により受信された信号の増幅処理，逆拡散処理，Ｒａｋｅ合成処理，周波数変換処理，Ａ／Ｄ変換処理等を行い，受信信号に含まれるＤＰＤＣＨのデータをデータ処理部に，ＤＰＣＣＨのデータをＳＩＲ測定部１２１〜１２ｍに与える。
データ処理部は，ＤＰＤＣＨのデータに所定の処理を施した後，データに含まれる音声データをスピーカ等（図示略）に出力し，データに含まれる文字データベース，画像データ等を液晶ディスプレイ等の表示装置（図示略）に表示する。
ＤＰＣＣＨの受信信号は，受信部１１によって，基地局２ごとにＲａｋｅ合成された後，各基地局２のＤＰＣＣＨのデータに分離される。分離された各基地局２のＤＰＣＣＨのデータは，ＳＩＲ測定部１２１〜１２ｍにそれぞれ与えられる。たとえば，基地局２１のＤＰＣＣＨはＳＩＲ測定部１２１に，基地局２２のＤＰＣＣＨはＳＩＲ測定部１２２に，といったように与えられる。
ｍの値は，ソフトハンドオーバを行う候補として選択される基地局２の個数，すなわちアクティブセットの個数に設定される。したがって，通常，ｍ＜ｎに設定される。また，受信部１１は，ｍ個を超える基地局２からの信号を受信した場合であっても，そのうちのｍ個の基地局２の電波を選択し，各基地局２の受信信号をＲａｋｅ合成して，Ｒａｋｅ合成後の信号をＳＩＲ測定部１２１〜１２ｍに与える。
なお，アクティブセットは，移動局１の移動に伴って定期的に更新される。また，１つのセルが複数のセクタに分割されている場合には，各セクタがアクティブセットとして割り当てられる。
ＳＩＲ測定部１２１〜１２ｍ（以下，ＳＩＲ測定部１２１〜１２ｍを特に区別する必要がある場合を除き，「ＳＩＲ測定部１２」と総称する。）は，対応する基地局２のＤＰＣＣＨの受信データの信号干渉電力比（ＳＩＲ：Ｓｉｇｎａｌ  ｔｏ  Ｉｎｔｅｒｆｅｒｅｎｃｅ  Ｒａｔｉｏ）を，タイムスロットごとに測定し，各タイムスロットのＳＩＲの測定値を基地局選択部１３およびＳＷ部１４に与える。
基地局選択部１３は，ＳＩＲ測定部１２から与えられたｍ個のＳＩＲを比較し，ＳＩＲの最大値を決定する。そして，基地局選択部１３は，最大値に対応する基地局２をプライマリセルとして選択し，選択されたプライマリセルを表す識別情報（たとえばテンポラリセルＩＤ）をＦＣＳビットとしてＳＷ部１４およびＴＰＣビット生成部１５に与える。
ここで，各基地局２を表すテンポラリセルＩＤ等の識別情報は，無線ネットワーク制御装置３から基地局２および移動局１にあらかじめ通知されている。また，最大値を有するＳＩＲが２以上ある場合には，いずれか一方の任意の基地局２がプライマリセルとして選択される。なお，プライマリセル２以外の基地局２は，ノンプライマリセルとなる。
ＳＷ部１４は，基地局選択部１３から与えられたＦＣＳビットに従って，ＦＣＳビットが表すプライマリセル２のＳＩＲをＴＰＣビット生成部１５に出力するように自己を設定する。これにより，ＳＩＲの最大値がＳＷ部１４を介してＴＰＣビット生成部１５に与えられる。
ＴＰＣビット生成部１５には，図示しないアウタループ（外部ループ）送信電力制御により決定される目標ＳＩＲがあらかじめ設定されている。ＴＰＣビット生成部１５は，ＳＷ部１４から与えられたＳＩＲの最大値と，設定された目標ＳＩＲとを比較する。そして，ＴＰＣビット生成部１５は，最大値が目標ＳＩＲより大きい場合には，送信電力を下げる指示としてＴＰＣビット“０”（ＤＯＷＮビット）を送信部１６に出力し，最大値が目標ＳＩＲより小さい場合には，送信電力を上げる指示としてＴＰＣビット“１”（ＵＰビット）を送信部１６に出力する。最大値と目標ＳＩＲとが等しい場合には，上げる指示または下げる指示のいずれでもよく，いずれかがＴＰＣビット生成部１５にあらかじめ設定される。
送信部１６には，基地局選択部１３からのＦＣＳビットおよびＴＰＣビット生成部１５からのＴＰＣビットに加えて，データ処理部からのＤＰＤＣＨのデータおよび他のチャネルのデータ（図示略）が入力される。ＤＰＤＣＨのデータには，たとえばマイク（図示略）を介して入力されたユーザの音声データ，ＣＣＤカメラ等の撮像装置から入力された画像データ等が含まれる。
送信部１６は，これらの入力されたデータに対して，周波数変換処理，拡散処理，Ｄ／Ａ変換処理，直交変調処理，増幅処理等を施し，処理後のデータをアンテナ１８を介して基地局２に送信する。
ＴＰＣビットおよびＦＣＳビットは，前述した図２Ａまたは図２Ｂに示すように，ＤＰＣＣＨにより送信される。
１ビットのＴＰＣビットは，１つのフレーム内の各タイムスロット（たとえば１５個のタイムスロットのそれぞれ）に含まれる。これにより，後述するように，基地局２は，各タイムスロットのＴＰＣビットによって送信電力制御を行うことができる。たとえば，１フレームの長さ（時間的長さ）が１０ｍｓであり，１フレームあたり１５スロット（１スロット＝０．６６７ｍｓ）がある場合には，１秒間に１５００回の回数で送信電力制御が行われる。
また，ＦＣＳビットも，その全ビットが１つのフレーム内の各タイムスロットに含まれる。すなわち，１つのタイムスロット内に，アクティブセットのｍ個の基地局２を識別できるビット数が含まれる。たとえばｍ＝８である場合には，少なくとも３ビットからなるＦＣＳビットが１つのタイムスロットに含まれる。これにより，１つのタイムスロットに含まれるＦＣＳビットによって，各基地局２は，自己がプライマリセルとして選択されているかどうかを判断することができる。その結果，ＴＰＣビットによる電力制御と同じ間隔（たとえば１秒間に１５００回）で，プライマリセルの更新が行われ，高速にセル選択を行うことができる。
基地局２１〜２ｎは，いずれも同じ構成を有し，送信部２１，電力制御部２２，スイッチ部（ＳＷ部）２３，ＦＣＳビット抽出部２４，ＴＰＣビット抽出部２５，受信部２６，ならびにアンテナ２７および２８を備えている。
アンテナ２８は，移動局１から２ＧＨｚ帯の電波によって送信される上り方向の信号（データ）を受信し，受信したデータを受信部２６に与える。アンテナ２７は，送信部２１から与えられる上り方向の信号（データ）を２ＧＨｚ帯の電波により移動局１に送信する。これらのアンテナ２７および２８は，送信用および受信用を兼用した１つのアンテナにより構成されてもよい。
受信部２６は，前述した移動局１の受信部１１と同様の処理を受信データに対して実行する。そして，受信部２６は，ＤＰＤＣＨの受信データを無線ネットワーク制御装置３に与え，ＤＰＣＣＨの受信データをＴＰＣビット抽出部２５およびＦＣＳビット抽出部２４に与える。
無線ネットワーク制御装置３は，ＤＰＤＣＨの受信データを，同じ基地局２もしくは他の基地局２，または図示しないコアネットワークに送信する。そして，この受信データは，最終的には，他の移動局，他の通信ネットワーク（たとえばインターネット）のサーバや端末等に送信される。
ＴＰＣビット抽出部２５は，ＤＰＣＣＨの各タイムスロットからＴＰＣビットを抽出し，抽出されたＴＰＣビットを電力制御部２２に与える。ＦＣＳビット抽出部２４は，ＤＰＣＣＨの各タイムスロットからＦＣＳビットを抽出し，抽出されたＦＣＳビットをＳＷ部２３および電力制御部２２に与える。
ＳＷ部２３には，ＦＣＳビット抽出部２４からのＦＣＳビットに加えて，無線ネットワーク制御装置３からのＤＰＤＣＨの送信データが入力される。
ＳＷ部２３は，ＦＣＳビット抽出部２４から与えられたＦＣＳビットが自己の基地局を示す識別情報であるかどうかを判断する。そして，ＳＷ部２３は，ＦＣＳビットが自己の基地局を示す識別情報である場合（すなわち自己の基地局がプライマリセルとして選択されている場合）には，ＤＰＤＣＨの送信データを電力制御部２２に与え，ＦＣＳビットが自己の基地局を示す識別情報でない場合（すなわち自己の基地局がノンプライマリセルである場合）には，ＤＰＤＣＨの送信データを電力制御部２２に与えないように自己を設定する。これにより，ＳＳＤＴが実行され，ＤＰＤＣＨの送信データは，プライマリセルからのみ送信され，ノンプライマリセルから送信されない。
また，ＳＷ部２３には，ＦＣＳビットがＤＰＣＣＨの各タイムスロットから与えられるので，プライマリセルかどうかの判断およびＤＰＤＣＨを電力制御部２２に与える／与えないの設定は，タイムスロットの間隔（たとえば０．６６７ｍｓ間隔，１秒間に１５００回）で行われる。これにより，プライマリセルの更新がタイムスロットの間隔で行われる。
ある１つの基地局２と通信を行っている移動局が複数存在する場合には，これら複数の移動局についてのＤＰＤＣＨの送信データがＳＷ部２３に入力されるとともに，これら複数の移動局からのＤＰＣＣＨのＦＣＳビットおよびＴＰＣビットが送信される。この場合に，ＳＷ部２３は，各移動局のＦＣＳビットに基づいて，各移動局のＤＰＤＣＨの送信データを電力制御部２２に与える／与えないの設定を行うこととなる。たとえば，移動局Ａが基地局２１をプライマリセルとして選択する一方，移動局Ｂが基地局２１をプライマリセルとして選択していない場合には，基地局２１のＳＷ部２３は，移動局Ａ用のＤＰＤＣＨの送信データを電力制御部２２に与える一方，移動局Ｂ用のＤＰＤＣＨの送信データを電力制御部２２に与えない。
電力制御部２２には，ＴＰＣビット抽出部２５からのＴＰＣビット，ＦＣＳビット抽出部２４からのＦＣＳビット，および自己の基地局がプライマリセルとして選択された場合における，ＳＷ２３からのＤＰＤＣＨの送信データに加えて，無線ネットワーク制御装置３からのＤＰＣＣＨの送信データが入力される。
電力制御部２２は，入力されたＦＣＳビットおよびＴＰＣビットに基づいて，ＤＰＣＣＨの送信データ，および，ＳＷ２３から与えられたＤＰＤＣＨの送信データの送信電力を制御し，送信電力の増減を制御する。
図４Ａは，本実施の形態による電力制御の方法をテーブルにより示したものである。電力制御部２２は，ＦＣＳビットにより，自己の基地局がプライマリセルとして選択されたかどうかを判断する。また，電力制御部２２は，ＴＰＣビットが“１”（ＵＰビット）であるか“０”（ＤＯＷＮビット）であるかを判断する。
プライマリセル２の電力制御部２２は，ＴＰＣビットが“１”であるとき，ＤＰＤＣＨの送信電力およびＤＣＣＣＨの送信電力をともに１ｄＢ増加させる一方，ＴＰＣビットが“０”であるとき，ＤＰＤＣＨの送信電力およびＤＣＣＣＨの送信電力をともに１ｄＢ減少させる。
これに対し，ノンプライマリセル２の電力制御部２２には，ＳＷ２３によって，ＤＰＤＣＨのデータが入力されない。したがって，ノンプライマリセルの基地局２の電力制御部２２は，ＤＰＤＣＨの送信電力制御を行わない（電力制御オフとされる）。一方，ノンプライマリセル２の電力制御部２２は，ＤＰＣＣＨの送信電力制御を行い，ＴＰＣビットが“１”であるとき，ＤＰＣＣＨの送信電力を１ｄＢ増加させる一方，ＴＰＣビットが“０”であるとき，ＤＰＣＣＨの送信電力を増減させない（すなわち増減量は±０ｄＢである）。
なお，電力制御部２２には，電力の上限値があらかじめ設定され，電力制御部２２は，ＴＰＣビットが“１”であっても，電力値がこの上限値を超える場合には電力を増加させない。
このような電力制御が行われたＤＰＣＣＨの送信データおよびＤＰＤＣＨの送信データは，送信部２１に与えられる。
送信部２１には，ＤＰＣＣＨ（およびＤＰＤＣＨ）のデータに加えて，他のチャネルのデータ（図示略）も与えられる。送信部２１は，前述した移動局１６と同様の処理をこれらチャネルのデータに施し，これらチャネルのデータをアンテナ２７を介して送信する。
このように，移動局１の受信部１１，ＳＩＲ測定部１２，ＳＷ部１４，ＴＰＣビット生成部１５，および送信部１６，ならびに，基地局２の受信部２６，ＴＰＣビット抽出部２５，電力制御部２２，および送信部２１により形成される閉ループによって，インナループ（内部ループ）電力制御が実行される。
本実施の形態によると，共通のＴＰＣビットに対して，プライマリセルとノンプライマリセルとで異なった送信電力制御が実行される。したがって，基地局ごとに異なったＴＰＣビットを生成して送信する必要はなく，ＴＰＣビットのフィールドを小さくすることができる。
また，ノンプライマリセル２においては，ＴＰＣビットが“１”の場合に，送信電力が増加するのに対して，ＴＰＣビットが“０”である場合に，送信電力が減少しない。これにより，ノンプライマリセル２のＳＩＲがプライマリセル２のＳＩＲよりも大きな値となる確率が高くなる。したがって，ノンプライマリセル２がプライマリセル２として選択される確率も高くなり，プライマリセル２の更新が促進される。その結果，移動局１は，より良い通信品質のＤＰＤＣＨを送信する基地局２から該チャネルのデータを受信できることとなる。
さらに，上りリンクの伝送誤りによりＴＰＣビットが誤った場合であっても，プライマリセルとノンプライマリセルとの間の送信電力差が伝送損失の差以上になる恐れを小さくすることができ，その結果，下りリンクにおける干渉の増大を防止できる。たとえば，ＴＰＣビットが“１”であるにも関わらず，ノンプライマリセルには，伝送誤りによってＴＰＣビット“０”が送信された場合であっても，ノンプライマリセルの送信電力が下げられない。したがって，プライマリセルとノンプライマリセルとの間で送信電力差が大きく変化することが防止される。
さらに，本実施の形態によると，電力制御が実行されるＤＰＣＣＨの受信特性の１つであるＳＩＲに基づいてプライマリセル２の選択が行われ，ＳＩＲの最も大きな基地局２がプライマリセルとして選択される。ＤＰＣＣＨのＳＩＲが大きいかどうか（すなわち通信品質が良いかどうか）は，同様の電力制御が行われるＤＰＤＣＨのＳＩＲが大きいかどうかと相関関係にある。したがって，ＤＰＣＣＨのＳＩＲに基づいて選択されたプライマリセル２は，ＤＰＤＣＨの通信品質の良い基地局となる。これにより，移動局１は，ＳＳＤＴ時において，通信品質の良い基地局からＤＰＤＣＨを受信することができる。
また，本実施の形態によると，プライマリセル２の選択がタイムスロットの時間間隔で行われる。したがって，プライマリセル２の更新が従来よりも高速に行われる。これにより，フェージングの変動に，より高速に追従することができ，フェージングが急激に変動した場合であっても，プライマリセルを高速に更新することによって，通信品質への悪影響を回避することが可能となる。
図４Ｂは，他の電力制御の方法をテーブルにより示したものである。基地局２がプライマリセルとして選択された場合の送信電力制御は，図４Ａに示すものと同じであるが，基地局２がノンプライマリセルである場合の送信電力制御が異なる。すなわち，ＤＰＣＣＨの送信電力は。ＴＰＣビットが“１”のとき０．５ｄＢ上げられ，ＴＰＣビットが“０”のとき０．５ｄＢ下げられる。
これにより，送信電力を下げる場合において，プライマリセルでは，ノンプライマリセルよりも大きく電力が下げられるので，プライマリセルの更新を促進することが可能となる。また，上りリンクの伝送誤りによりＴＰＣビットが誤った場合であっても，プライマリセルとノンプライマリセルとの間の送信電力差が伝送損失の差以上になる恐れを小さくすることができ，その結果，下りリンクにおける干渉の増大を防止できる。
図４Ｃは，さらに他の電力制御の方法をテーブルにより示したものである。基地局２がノンプライマリセルである場合において，ＴＰＣビットが“１”のとき，および，ＴＰＣビットが“０”のときの双方において，ＤＰＣＣＨの送信電力は変化しないように制御される。
これによっても，送信電力を下げる場合において，プライマリセルでは，ノンプライマリセルよりも大きく電力が下げられるので，プライマリセルの更新を促進することが可能となる。また，上りリンクの伝送誤りによりＴＰＣビットが誤った場合であっても，プライマリセルとノンプライマリセルとの間の送信電力差が伝送損失の差以上になる恐れを小さくすることができ，その結果，下りリンクにおける干渉の増大を防止できる。
他の実施の形態として，移動局１は，ＤＰＣＣＨのＳＩＲ以外に，ＤＰＣＣＨの電力を比較して，プライマリセルを選択することもできる。図５は，本発明の他の実施の形態による移動通信システムの一部を示すブロック図である。
図５に示す移動通信システムにおいて，図１に示す構成要素を同じものには同じ符号を付し，その詳細な説明を省略することとする。図５に示す移動通信システムが図１に示すものと異なる点は，図１に示す移動局１のＳＩＲ測定部１２１〜１２ｍが，図５では，受信部１１により受信されたＤＰＣＣＨの受信電力（ＲＳＣＰ：Ｒｅｃｅｉｖｅｄ  Ｓｉｇｎａｌ  Ｃｏｄｅ  Ｐｏｗｅｒ）を測定する電力測定部１９１〜１９ｍになっている点である。
これに伴い，基地局選択部２０は，電力測定部１９１〜１９ｍにより測定されたｍ個の電力の中で最大の電力値を決定し，該最大の電力値に対応する基地局２の識別情報をＦＣＳビットとして出力する。また，ＴＰＣビット生成部３０は，図示しないアウタループ送信電力制御によりあらかじめ設定された目標電力値と，ＳＷ部１４により選択された最大の電力値とを比較し，後者が前者より大きい場合にはＴＰＣビット“０”を，後者が前者より小さい場合にはＴＰＣビット“１”を，それぞれ出力する。移動局１の他の構成要素および基地局２の構成要素は，図１に示すものと同じである。
この他の実施の形態によっても，図１で示した移動通信システムと同様に，通信品質の良いプライマリセルの高速の選択が可能となる。
なお，これまで述べた実施の形態では，ＤＰＣＣＨの受信特性を測定したが，ＤＰＤＣＨと同様の送信電力制御を受けている他のチャネルの受信特性（ＳＩＲ，受信電力（ＲＳＣＰ）等）を測定してもよい。
また，これまで述べた実施の形態は，Ｗ−ＣＤＭＡ方式を前提としているが，本発明は，Ｗ−ＣＤＭＡ方式に限定されるものではなく，マルチキャリアＣＤＭＡを含む符号分割多元接続（ＣＤＭＡ）方式全般に適用可能であり，さらに，他の通信方式，たとえば地上波ディジタル放送の伝送技術である直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘ）方式等にも適用可能である。
産業上の利用の可能性
本発明は，移動通信システム，該移動体通信システムにおける移動局（携帯電話，自動車電話，ＰＤＡ等），および基地局に利用される。たとえばＷ−ＣＤＭＡ等のマルチキャリアＣＤＭＡにより通信を行う移動通信システム，該移動体通信システムにおける移動局，および基地局に利用される。
本発明によると，送信電力が制御されたユーザデータ信号を送信する基地局が，このユーザデータ信号と同様の送信電力制御を受けた制御データ信号の品質に基づいて行われる。したがって，ユーザデータ信号についても，最も品質の良いユーザデータ信号を送信可能な基地局の選択が可能となり，移動局は該品質の良いユーザデータを受信することができる。
また，本発明によると，複数の基地局のうち，ユーザデータ信号が，移動局により選択された１つの基地局から送信される通信状態において，該選択された１つの基地局の更新（交替）を高速に行うことができる。
さらに，本発明によると，ユーザデータ信号を送信する基地局を選択する基準と，送信電力制御情報の決定基準とが共通化され，より良い通信品質を有する基地局を選択することができる。
【図面の簡単な説明】
図１は，本発明の一実施の形態による移動通信システムの一部を示すブロック図である。
図２Ａは，上りリンクのＤＰＣＨ（ＤＰＤＣＨおよびＤＰＣＣＨ）のフレーム構成を示す。
図２Ｂは，上りリンクのＤＰＣＣＨの他の構成を示す。
図３は，下りリンクのＤＰＣＨのフレーム構成を示す。
図４Ａは，本発明の一実施の形態による電力制御の方法を示したものである。
図４Ｂは，他の電力制御の方法をテーブルにより示したものである。
図４Ｃは，さらに他の電力制御の方法をテーブルにより示したものである。
図５は，本発明の他の実施の形態による移動通信システムの一部を示すブロック図である。
図６は，従来のＳＳＤＴ時における下りリンクの送信電力制御の様子を示す。
図７は，従来の電力制御の方法をテーブルにより示したものである。
【図１】
2003037027.tif 000003
【図２Ａ】
2003037027.tif 000004
【図２Ｂ】
2003037027.tif 000005
【図３】
2003037027.tif 000006
【図４Ａ】
2003037027.tif 000007
【図４Ｂ】
2003037027.tif 000008
【図４Ｃ】
2003037027.tif 000009
【図５】
2003037027.tif 000010
【図６】
2003037027.tif 000011
【図７】
2003037027.tif 000012
【国際調査報告】
2003037027.tif 000013
2003037027.tif 000014
2003037027.tif 000015